(57)【要約】【課題】操作範囲を拡張して、操作性を向上させることができる電子機器を提供する。【解決手段】電子機器は、外部から発せられた光信号Ｓｉを受光する受光素子３２と、受光素子３２を収納し、光信号Ｓｉが通過する受光用開口部４２１を有する筐体４と、受光用開口部４２１を閉塞し、光信号Ｓｉを透過するカバー部材３１とを備え、受光素子３２にて受光した光信号Ｓｏに対応して操作される。カバー部材３１は、光信号Ｓｉが入射する外面３１ａが凸状に形成されている。【選択図】図３
2009170628.tif 000002
【特許請求の範囲】
【請求項１】
遠隔操作手段から出力される光信号を受光し、受光した光信号に基づいて操作される電子機器であって、
前記光信号を受光する受光素子と、前記受光素子を収納し、前記光信号が通過する受光用開口部を有する筐体と、前記受光用開口部を閉塞し、前記光信号を透過するカバー部材とを備え、
前記カバー部材は、前記光信号が入射する外面が凸状に形成されていることを特徴とする電子機器。
【請求項２】
請求項１に記載の電子機器において、
前記外面は、断面視円弧状を有する曲面で構成されていることを特徴とする電子機器。
【請求項３】
請求項１に記載の電子機器において、
前記外面は、複数の面で構成されていることを特徴とする電子機器。
【請求項４】
請求項１から請求項３のいずれか一項に記載の電子機器において、
前記外面は、前記光信号の入射角が４０°以下になるように形成されていることを特徴とする電子機器。
【請求項５】
請求項１から請求項４のいずれか一項に記載の電子機器において、
前記カバー部材は、前記光信号を射出する内面が前記外面に倣うように形成され、略均一の肉厚を有していることを特徴とする電子機器。
【請求項６】
請求項１から請求項５のいずれか一項に記載の電子機器において、
当該電子機器は、光源と、前記光源から射出された光束を画像情報に応じて変調する光変調装置と、前記光変調装置にて変調された光束を拡大投射する投射光学装置とを備えたプロジェクタであることを特徴とする電子機器。
【発明の詳細な説明】
【技術分野】
【０００１】
本発明は、外部から発せられた光信号を受光する受光素子を備えた電子機器に関する。
【背景技術】
【０００２】
従来、光源からの光束を光変調装置により画像情報に応じて変調し、変調された画像光を前方側に配置されたスクリーン等に投射するプロジェクタが知られている。
このようなプロジェクタでは、外部の遠隔操作手段としてのリモートコントローラ（以下、「リモコン」という）からの操作信号（光信号）を受光するためのリモコン受光モジュールが配置されている（例えば、特許文献１参照）。
【０００３】
特許文献１に記載の技術では、フロントケースにカバー部材（リモコン受光窓）が設けられている。カバー部材の内側には、受光素子（リモコン受光モジュール）が配置されている。そして、リモコン操作に応じて出力された光信号がカバー部材を介して受光素子で受光され、制御基板で処理される。
【０００４】
【特許文献１】特開２００７−５７９９６号公報
【発明の開示】
【発明が解決しようとする課題】
【０００５】
特許文献１に記載の技術では、カバー部材の表面が平坦状に形成されている。このため、例えば、プロジェクタの側方等の受光素子の中心軸に対して大きくずれた位置からのリモコン操作においては、カバー部材の外面への光信号の入射角が大きくなってしまう。光信号の入射角が大きいと、外面での反射による損失が大きく、光信号がカバー部材を透過する透過率が低下し、受光素子に光信号が到達することが難しくなる。つまり、カバー部材により、リモコンにてプロジェクタを操作可能な範囲（以下、「操作範囲」という）が制限され、操作性を向上させることが難しい。
【０００６】
本発明は、上記課題を鑑みてなされたものであり、その目的は、操作範囲を拡張して、操作性を向上させることができる電子機器を提供することにある。
【課題を解決するための手段】
【０００７】
本発明の電子機器は、遠隔操作手段から出力される光信号を受光し、受光した光信号に基づいて操作される電子機器であって、前記光信号を受光する受光素子と、前記受光素子を収納し、前記光信号が通過する受光用開口部を有する筐体と、前記受光用開口部を閉塞し、前記光信号を透過するカバー部材とを備え、前記カバー部材は、前記光信号が入射する外面が凸状に形成されていることを特徴とする。
【０００８】
本発明によれば、カバー部材は、外面が凸状に形成されているので、受光素子の中心軸に対して大きくずれた位置からのリモコン操作であっても、平坦に形成されている場合に比べて外面への光信号の入射角を小さくすることができる。入射角が小さいと、光信号は、カバー部材を安定して透過するので、受光素子に光信号を到達させることができる。つまり、カバー部材の外面を凸状にすることで、操作範囲を拡張して、電子機器の操作性を向上させることができる。
【０００９】
この電子機器において、前記外面は、断面視円弧状を有する曲面で構成されていることが好ましい。
断面視円弧状とは、所定方向の断面において、外面が円弧状ということである。例えば、本発明の電子機器を机上等に設置した姿勢において、水平方向の断面の外面が円弧状であったり、垂直方向の断面の外面が円弧状であったりすることであり、この場合、外面は、円柱面状の一部を成すように形成される。また、カバー部材の外面が受光素子を中心として断面視円弧状で、かつ、あらゆる方向の断面の外面が円弧状に形成されることも含んでおり、この場合の外面は、球面状に形成される。
【００１０】
本発明によれば、外面が断面視円弧状に形成されているので、受光素子の中心軸に対して大きくずれた位置からのリモコン操作であっても、光信号の入射角を小さくすることができる。また、カバー部材の外面を滑らかな曲面で形成することができるので、外観上違和感を与えることなく外面を凸状にすることが可能となる。
【００１１】
この電子機器において、前記外面は、複数の面で構成されていることが好ましい。
【００１２】
本発明によれば、外面は複数の面で構成されている。例えば、外面が大きい曲率を有する中央部の面と、小さい曲率を有する外縁部の面とで構成される等である。この場合、光信号は、受光素子の中心軸に対して大きくずれた位置からのリモコン操作の場合には、外面の外縁部から入射する。外縁部は、曲率が小さい面で構成されているので、入射角は小さくなる。したがって、外面の中央部の面の曲率が大きくても、操作範囲を拡張することが可能となる。また、外面は、中央部と外縁部とで異なる平坦面が連接されるように構成されていても、同様に、操作範囲を拡張することが可能となる。
これによって、外面の中央部の凸量を小さくし、カバー部材の筐体からの飛び出しを抑制して、電子機器の取り扱いにおけるカバー部材の損傷防止や外観デザインに対応した外観形状を提供することが可能となる。
【００１３】
この電子機器において、前記外面は、前記光信号の入射角が４０°以下になるように形成されていることが好ましい。
一般的に、カバー部材は、ＰＣ（ポリカーボネート）、ＰＭＭＡ（アクリル）等の材料で形成されている。これらの材料は、屈折率等の特性から光信号の入射角が４０°を超えると透過率が徐々に低下する。そのため、カバー部材の外面が平坦に形成されている場合には、光信号の入射角、すなわちリモコンから発せられ受光素子に向かう光信号と、受光素子の中心軸とがなす角度（以下「操作射出角」という）が４０°を超えると、受光素子は、光信号を徐々に受光できない状態になる。
【００１４】
本発明によれば、外面は、光信号の入射角が４０°以下になるように形成されているので、操作射出角が４０°を超えても受光素子は、光信号を安定して受光できる。
【００１５】
この電子機器において、前記カバー部材は、前記光信号を射出する内面が前記外面に倣うように形成され、略均一の肉厚を有していることが好ましい。
光信号は、カバー部材の外面と同様に内面においても入射角が大きくなる程、透過率が低下する。つまり、カバー部材を通過して内面に入射する入射角が大きくなると、透過率が低下する。
【００１６】
本発明によれば、カバー部材は、内面が外面に倣うように形成され、略均一の肉厚を有しているので、内面は、凹状に形成されている。このため、光信号がカバー部材を通過して内面に入射する入射角は、肉厚が不均一、例えば、内面が平坦に形成されているカバー部材の入射角に比べて小さくすることができる。したがって、内面における光信号の損失を低減することができるので、受光素子は、さらに安定して光信号を受光することが可能となる。
【００１７】
本発明の電子機器は、光源と、前記光源から射出された光束を画像情報に応じて変調する光変調装置と、前記光変調装置にて変調された光束を拡大投射する投射光学装置とを備えたプロジェクタであることが好ましい。
【００１８】
プロジェクタは、プレゼンテーションや、複数のプロジェクタを並列に配置してマルチ投射を行ったりすることに用いられ、設置した姿勢において、上下方向、特に水平方向に対して広範囲で操作されることが多い。
本発明によれば、前述した電子機器をプロジェクタとすることで、前述した効果を好適に図れる。
【発明を実施するための最良の形態】
【００１９】
［第１実施形態］
以下、本発明の実施の一形態を図面に基づいて説明する。
〔外観構成〕
図１は、本実施形態におけるプロジェクタ１の外観を示す斜視図である。具体的に、図１は、プロジェクタ１が机上（図示略）等に設置された状態を前方上側から見た斜視図である。
なお、以下では、説明の便宜上、図１における図面視において、左右方向を「左右方向」、上下方向を「上下方向」として記載する。
プロジェクタ１は、光源から射出される光束を画像情報に応じて変調して画像光を形成し、この画像光をスクリーン（図示略）上に拡大投射する。このプロジェクタ１は、光学ユニット２、制御装置（図示略）、受光部３、これらの機器本体を収納し外装を構成する筐体４等を備える。
【００２０】
図１に示すように、筐体４は、プロジェクタ１の天面、前面、背面、および側面をそれぞれ構成するアッパーケース４１、およびプロジェクタ１の底面、前面、背面、および側面をそれぞれ構成するロアーケース４２等で構成される。そして、各ケースは、互いにねじ等で固定されている。
ロアーケース４２の前面側には、受光部３が配置されている。
なお、具体的な図示は省略したが、筐体４内において、光学ユニット２、制御装置、受光部３以外の空間には、プロジェクタ１内部の各構成部材を冷却する冷却ファン等を備えた冷却ユニット、プロジェクタ１内部の各構成部材に電力を供給する電源ユニット等が配置されるものとする。
【００２１】
〔光学ユニットの構成〕
図２は、光学ユニット２の光学系を模式的に示す平面図である。
光学ユニット２は、制御装置による制御の下、光源から射出された光束を光学的に処理して画像信号に対応した画像光を形成するユニットである。この光学ユニット２は、図２に示すように、光源装置２１と、照明光学装置２２と、色分離光学装置２３と、リレー光学装置２４と、光学装置２５と、これら各光学部品２１〜２５を内部に設定された照明光軸に対する所定位置に配置する光学部品用筐体２６と、投射光学装置としての投射レンズ２７とを備える。
【００２２】
光源装置２１は、図２に示すように、光源２１１およびリフレクタ２１２等を備える。そして、光源装置２１は、光源２１１から射出された光束がリフレクタ２１２によって射出方向が揃えられ、照明光学装置２２に向けて光束を射出される。
【００２３】
照明光学装置２２は、図２に示すように、第１レンズアレイ２２１、第２レンズアレイ２２２、偏光変換素子２２３、および重畳レンズ２２４を備える。そして、光源装置２１から射出された光束は、第１レンズアレイ２２１によって複数の部分光束に分割され、第２レンズアレイ２２２の近傍で結像する。第２レンズアレイ２２２から射出された各部分光束は、その中心軸（主光線）が偏光変換素子２２３の入射面に垂直となるように入射し、偏光変換素子２２３にて略１種類の直線偏光光として射出される。偏光変換素子２２３から直線偏光光として射出され、重畳レンズ２２４を介した複数の部分光束は、光学装置２５の後述する３枚の液晶パネル上で重畳する。
【００２４】
色分離光学装置２３は、図２に示すように、２枚のダイクロイックミラー２３１，２３２、および反射ミラー２３３を備え、これらのダイクロイックミラー２３１，２３２、反射ミラー２３３により照明光学装置２２から射出された複数の部分光束を赤、緑、青の３色の色光に分離する機能を有する。
リレー光学装置２４は、図２に示すように、入射側レンズ２４１、リレーレンズ２４３、および反射ミラー２４２，２４４を備え、色分離光学装置２３で分離された色光、例えば、青色光を光学装置２５の後述する青色光側の光変調装置（液晶パネル）まで導く機能を有する。
【００２５】
光学装置２５は、入射した光束を画像情報に応じて変調して画像光を形成するものである。この光学装置２５は、図２に示すように、３つの光変調装置としての液晶パネル２５１（赤色光側の液晶パネルを２５１Ｒ、緑色光側の液晶パネルを２５１Ｇ、青色光側の液晶パネルを２５１Ｂとする）と、各液晶パネル２５１の光路前段側に配置される入射側偏光板２５２と、各液晶パネル２５１の光路後段側に配置される射出側偏光板２５３と、色合成光学装置としてのクロスダイクロイックプリズム２５４とを備える。
【００２６】
３つの入射側偏光板２５２は、色分離光学装置２３で分離された各光束のうち、偏光変換素子２２３で揃えられた偏光方向と略同一の偏光方向を有する偏光光のみ透過させ、その他の光束を吸収するものであり、透光性基板上に偏光膜が貼付されて構成されている。
３つの液晶パネル２５１は、一対の透明なガラス基板に電気光学物質である液晶が密閉封入された構成を有し、前記制御装置からの駆動信号に応じて、前記液晶の配向状態が制御され、入射側偏光板２５２から射出された偏光光束の偏光方向を変調する。
３つの射出側偏光板２５３は、入射側偏光板２５２と略同様の機能を有し、液晶パネル２５１を介して射出された光束のうち、一定方向の偏光光を透過し、その他の光束を吸収する。
【００２７】
クロスダイクロイックプリズム２５４は、射出側偏光板２５３から射出された色光毎に変調された各色光を合成してカラー画像を形成する。このクロスダイクロイックプリズム２５４は、４つの直角プリズムを貼り合わせた平面視略正方形状をなし、直角プリズム同士を貼り合わせた界面には、２つの誘電体多層膜が形成されている。これら誘電体多層膜は、液晶パネル２５１Ｇから射出され射出側偏光板２５３を介した色光を透過し、液晶パネル２５１Ｒ，２５１Ｂから射出され射出側偏光板２５３を介した各色光を反射する。このようにして、各色光が合成されて画像光が形成される。そして、クロスダイクロイックプリズム２５４で形成された画像光は、投射レンズ２７に射出される。
【００２８】
投射レンズ２７は、複数のレンズを組み合わせた組レンズとして構成され、光学装置２５にて形成された画像光をスクリーン上に拡大投射する。
【００２９】
〔制御装置の構成〕
制御装置は、ＣＰＵ（Central Processing Unit）等の回路素子が実装された制御基板を有して構成され、後述する受光部３から送信された信号に対応する制御信号を発してプロジェクタ１を制御する。
【００３０】
〔受光部の構成〕
受光部３は、外部のリモコン（図示略）から発せられた光信号を受光し、受光した光信号に対応する信号を制御装置に送信する。
図３は、ロアーケース４２および受光部３の断面図であり、天面側から見た図である。
図３に示すように、ロアーケース４２には、光信号が通過する受光用開口部４２１が設けられている。
受光部３は、カバー部材３１、受光素子３２および回路基板３３を有して構成されている。
【００３１】
カバー部材３１は、前方から見て略長方形状（図１参照）をしており、受光用開口部４２１を閉塞するようにロアーケース４２に取り付けられ、リモコンから発せられた光信号Ｓｉを透過する。図３に示すように、カバー部材３１は、光信号Ｓｉが入射する外面３１ａが凸状に形成されており、その外面３１ａは、図３において、断面視円弧になっている。具体的にこの円弧の曲率Ｒは、光信号Ｓｉの入射角θｉが４０°以下で後述する受光素子３２にて受光するように設定されている。また、外面３１ａは、上下方向の断面視（図示略）において、直線状になっている。つまり、外面３１ａは、円柱面状の一部を成すような面に形成されている。カバー部材３１は、円弧の中心と上下方向におけるカバー部材３１の略中央部とを結ぶ中心Ｏｒからプロジェクタの前方側に向かう軸（中心軸ＣＬ）を通る鉛直面、水平面に対してそれぞれ対称に形成されている。
【００３２】
カバー部材３１の内面３１ｂは、外面３１ａに倣うように形成されており、肉厚は薄く、略均一になっている。つまり、内面３１ｂは、外面３１ａと略同心の円弧になっている。そして、外面３１ａから入射した光信号Ｓｉは、内面３１ｂから射出される。カバー部材３１の外周には、段差部３１１が形成されており、カバー部材３１は、段差部３１１が受光用開口部４２１内側の周縁部と当接して取り付けられている。
【００３３】
カバー部材３１は、一般的にＰＣ（ポリカーボネート）、ＰＣ／ＡＢＳ（ポリカーボネート／アクリロニトリルブタジエンスチレン）、ＰＭＭＡ（アクリル）等が用いられる。
図４ないし図６は、各材料における光信号Ｓｉの入射角θｉと透過率Ｔとの関係を示すグラフである。具体的に、図４は、ＰＣ、図５は、ＰＣ／ＡＢＳ、図６は、ＰＭＭＡのそれぞれの特性を示す図である。
図４ないし図６に示すように、それぞれの材料は、入射角θｉが大きくなる程、具体的には、入射角θｉが約４０°より大きくなる程、透過率は、徐々に低下する。透過率の低下は、光信号Ｓｉが入射する材料の入射面、およびその材料から射出する射出面における反射等による損失によって生じる。
【００３４】
受光素子３２は、図３に示すように、回路基板３３に半田付けによって実装されており、受光中心軸と中心軸ＣＬとが略一致するようにカバー部材３１の内側に取り付けられている。受光素子３２は、リモコンから発せられ、カバー部材３１を透過した光信号Ｓｏを受光し、受光した光信号Ｓｏに対応する信号を発する。受光素子３２は、操作射出角θｓが所定の範囲内において、光信号Ｓｏを受光することができる。なお、図３は、中心軸ＣＬに対して右側の操作射出角θｓを省略した図であり、受光素子３２は、中心軸ＣＬに対して左右対称の範囲で光信号Ｓｏを受光する。
【００３５】
回路基板３３は、ケーブル（図示略）によって制御装置と電気的に接続されている。回路基板３３は、受光素子３２から発せられた信号をケーブルを通して制御装置に送信する。
【００３６】
〔光信号の光路〕
先ず、リモコンから発せられた光信号Ｓｉが受光素子３２に受光される範囲について、外面が平坦なカバー部材と比較して説明する。
図７は、本実施形態のカバー部材３１、および外面が平坦なカバー部材１３１に光信号Ｓｉが入射した状態を示す模式図である。具体的に、図７は、リモコンが光信号Ｓｉを発する位置によって入射角θｉが変わる様子を示す図である。なお、図７は、操作射出角θｓについて、中心軸ＣＬに対して左側のみを示す。
【００３７】
図７に示すように、リモコンが操作射出角θｓａの位置Ａから光信号Ｓｉを発する場合、光信号Ｓｉの外面３１ａに対する法線Ｈａは、中心軸ＣＬに対して角度θｒａを有している。一方、外面１３１ａに対する法線Ｈｆａは、中心軸ＣＬに対して平行になっている。したがって、外面１３１ａに対する入射角θｆａは、操作射出角θｓａと同じ角度になり、外面３１ａに対する入射角θｉａは、入射角θｆａから角度θｒａを減じた角度となる。
具体的に、入射角θｆａが４０°すなわち操作射出角θｓａが４０°の場合には、入射角θｉａは、４０°から角度θｒａを減じた角度となる。そして、中心軸ＣＬから操作射出角θｓａの間では、カバー部材３１およびカバー部材１３１は、入射角θｉａ，θｆａがともに４０°以下なので、光信号Ｓｉを効率良く透過して受光素子３２に到達させることができる。
【００３８】
位置Ａより広範囲な位置Ｂ（操作射出角θｓｂの位置）から光信号Ｓｉが発せられる場合、外面１３１ａに対する入射角θｆｂは、その法線Ｈｆｂが中心軸ＣＬと平行なため、操作射出角θｓｂと同じ角度になる。一方、外面３１ａに対する入射角θｉｂは、位置Ａと同様に、入射角θｆｂから角度θｒｂ（光信号Ｓｉの外面３１ａに対する法線Ｈｂと、中心軸ＣＬとがなす角度）を減じた角度となる。
具体的に、入射角θｉｂが４０°になる操作射出角θｓｂの場合には、入射角θｆｂは、４０°に角度θｒｂを加えた角度となる。
カバー部材３１は、中心軸ＣＬから操作射出角θｓｂの間で、入射角θｉが４０°以下になるので、光信号Ｓｉを安定して透過し、受光素子３２に到達させることができる。
一方、カバー部材１３１は、操作射出角θｓが４０°から操作射出角θｓｂの間で、入射角θｉが４０°を超えるので、前述したように、透過率が低下し、受光素子３２は、光信号Ｓｉを安定して受光することができない状態になる。
【００３９】
このように、外面３１ａが凸状に形成されているカバー部材３１の方が、外面１３１ａが平坦に形成されているカバー部材１３１より入射角θｉが小さくなる。そして、外面３１ａの曲率Ｒは、光信号Ｓｉの入射角θｉが４０°以下で受光素子３２にて受光するように設定されているので、カバー部材３１は、操作射出角θｓが４０°に角度θｒｂを加えた範囲内において、光信号Ｓｉを安定して受光素子３２に到達させることができる。すなわち、カバー部材３１の外面３１ａを凸状にすることで、操作範囲を拡張している。
【００４０】
次に、内面３１ｂから光信号Ｓｉが射出される様子について、肉厚が不均一に形成されたカバー部材と比較して説明する。
図８は、光信号Ｓｉが入射したカバー部材３１の部位の拡大断面図である。具体的に、図８は、本実施形態のカバー部材３１と、外面３１ａが同じで内面２３１ｂが平坦に形成されたカバー部材２３１とを示す図である。
図８に示すように、カバー部材３１に入射した光信号Ｓｉは、外面３１ａと内面３１ｂとでそれぞれ屈折し、内面３１ｂから光信号Ｓｏ１として射出される。同様に、カバー部材２３１に入射した光信号Ｓｉは、外面３１ａと内面２３１ｂとでそれぞれ屈折し、内面２３１ｂから光信号Ｓｏ２として射出される。
【００４１】
カバー部材３１を通過する光信号Ｓｍの内面３１ｂに対する法線Ｈｏと、光信号Ｓｉの外面３１ａに対する法線Ｈｉとは、外面３１ａと内面３１ｂが略同心の円弧で肉厚が薄いため、略平行になっている。つまり、法線Ｈｏは、中心軸ＣＬに対して鋭角になっている。一方、カバー部材２３１を通過する光信号Ｓｍの内面２３１ｂに対する法線Ｈｆは、中心軸ＣＬと平行になっている。よって、入射角θｍ２は、入射角θｍ１より大きくなる。
具体的に、入射角θｍ１が４０°の場合、入射角θｍ２は４０°を超える。前述したように、入射角θｍ２が４０°より大きくなる程、損失が徐々に大きくなるので、内面２３１ｂから射出された光信号Ｓｏ２は、内面３１ｂから射出された光信号Ｓｏ１より損失の大きい光信号Ｓｏとなる。
このように、内面３１ｂが凹状に形成されているカバー部材３１の方が、内面２３１ｂが平坦に形成されているカバー部材２３１より損失の少ない光信号Ｓｏとなる。
【００４２】
以上説明したように、本実施形態のプロジェクタ１によれば、以下の効果を得ることができる。
カバー部材３１は、外面３１ａが凸状に形成されているので、操作射出角θｓが大きい範囲においても光信号Ｓｉの入射角θｉを小さくすることが可能となり、光信号Ｓｉを安定して透過させることができる。これによって、操作範囲が拡張して、電子機器の操作性が向上する。
【００４３】
外面３１ａが断面視円弧に形成されているので、操作射出角θｓが大きい範囲においても光信号Ｓｉの入射角θｉを小さくすることができる。また、カバー部材３１の外面３１ａを滑らかな曲面で形成することができるので、外観上違和感を与えることなく外面３１ａを凸状にすることが可能となる。
【００４４】
外面３１ａは、光信号Ｓｉの入射角θｉが４０°以下になるように形成されているので、操作射出角θｓが４０°を超えても受光素子３２は、光信号Ｓｉを安定して受光できることが可能となる。
【００４５】
カバー部材３１は、内面３１ｂが外面３１ａに倣うように形成され、略均一の肉厚を有しているので、カバー部材を通過する光信号Ｓｍの入射角θｍ１は、平坦に形成されている内面２３１ｂに入射する入射角θｍ２に比べて小さくなる。したがって、内面３１ｂにおける光信号Ｓｉの損失を低減することができる。また、カバー部材３１は、肉厚を薄くすることができので、カバー部材３１内での損失を低減することができる。これらによって、受光素子３２は、さらに安定して光信号Ｓｉを受光することが可能となる。
【００４６】
種々の位置に受光素子３２を設けて操作範囲を拡張する構成を採用しなくても、単体の受光素子３２でカバー部材３１の形状を上述した形状とすることで、操作範囲を拡張できる。このため、各受光素子３２が実装される各基板との配線が複雑化することがない。また、筐体４内の狭い範囲に受光素子３２および回路基板３３を配置することができるので、筐体４内のスペースを有効に利用できる。
【００４７】
［第２実施形態］
次に、本発明の第２実施形態を図面に基づいて説明する。
以下の説明では、第１実施形態と同様の構造および同一部材には同一符号を付し、その詳細な説明は省略または簡略化する。
本実施形態は、第１実施形態に対してカバー部材３１が異なる。
【００４８】
本実施形態のカバー部材３１は、外面３１ａが複数の面で構成されている。
図９は、ロアーケース４２および受光部３の断面図であり、天面側から見た図である。
図９に示すように、外面３１ａは、中央部の面３１１ａと外縁部の面３１２ａとで異なる平坦面が連接されるように構成されている。
面３１１ａは、周囲の面から突出し、中心軸ＣＬに対して略垂直、面３１２ａは、面３１１ａの端部に連接し、受光素子３２側に広がるように傾斜して形成されている。そして、外面３１ａは、上下方向の断面視（図示略）において、直線状になっている。つまり、外面３１ａは、３つの平坦面が連接されて凸状に形成されている。また、外面３１ａの凸量Ｌは、第１実施形態の外面３１ａの凸量Ｌより小さくなっている。
【００４９】
具体的に、面３１１ａは、操作射出角θｓが０°から４０°までの間に形成され、面３１２ａは、面３１１ａの端部から入射角θｉが４０°以下で受光素子３２にて受光されるように形成されている。これによって、外面３１ａは、第１実施形態と同様に、操作射出角θｓが４０°を超えても安定して、受光素子３２に光信号Ｓｏを到達させることができる。
このように、操作射出角θｓが０°から４０°までの間は、入射角θｉを小さくしなくとも、カバー部材３１は、安定して光信号Ｓｉを透過するので、面３１１ａを平坦にして凸量Ｌを減らすことができる。
【００５０】
以上説明したように、本実施形態のプロジェクタ１によれば、以下の効果を得ることができる。
カバー部材３１は、外面３１ａ中央部の面３１１ａの凸量Ｌが小さいので、筐体４からの飛び出し量が抑制され、プロジェクタ１の取り扱いにおけるカバー部材３１の損傷防止や外観デザインに対応した外面形状を提供することが可能となる。
【００５１】
〔実施形態の変形〕
本発明は、前述の実施形態に限定されるものではなく、本発明の目的を達成できる範囲での変形、改良等は本発明に含まれるものである。
外面３１ａは、上下方向に対して円弧状であってもよく、受光素子を中心としてあらゆる方向の断面が円弧状であってもよい。
内面３１ｂの形状は、外面３１ａに対して曲率の大きな円弧形状であってもよい。
【００５２】
前記第２実施形態の外面３１ａは、中央部の面３１１ａおよび外縁部の面３１２ａが平坦面で構成されているが、曲面で構成されていてもよい。また、平担面と曲面とが混在してもよい。
【００５３】
前記実施形態の光学装置２５は、透過型の液晶パネル２５１を用いているが、反射型の液晶パネルを利用したものや、マイクロミラーを用いたデバイス等を使用したものであってもよい。
【００５４】
前記実施形態では、電子機器としてプロジェクタを採用しているが、操作射出角θｓが４０°以上の広角で光信号Ｓｉを受光する電子機器に採用してもよい。
【産業上の利用可能性】
【００５５】
本発明は、広範囲な位置からのリモコン操作が可能なので、プレゼンテーションや、映画鑑賞等の種々に用いられているプロジェクタに利用することができる。
【図面の簡単な説明】
【００５６】
【図１】本実施形態におけるプロジェクタの外観を示す斜視図。
【図２】光学ユニットの光学系を模式的に示す平面図。
【図３】第１実施形態のロアーケースおよび受光部の断面図。
【図４】ＰＣの入射角と透過率との関係を示すグラフ。
【図５】ＰＣ／ＡＢＳの入射角と透過率との関係を示すグラフ。
【図６】ＰＭＭＡの入射角と透過率との関係を示すグラフ。
【図７】カバー部材に光信号が入射した状態を示す模式図。
【図８】光信号が入射したカバー部材の部位の拡大断面図。
【図９】第２実施形態のロアーケースおよび受光部の断面図。
【符号の説明】
【００５７】
１…プロジェクタ、４…筐体、２７…投射レンズ、３１…カバー部材、３１ａ…外面、３１ｂ…内面、３２…受光素子、２１１…光源、２５１，２５１Ｒ，２５１Ｇ，２５１Ｂ…液晶パネル、４２１…受光用開口部、θｉ…入射角。
【図１】
2009170628.tif 000003
【図２】
2009170628.tif 000004
【図３】
2009170628.tif 000005
【図４】
2009170628.tif 000006
【図５】
2009170628.tif 000007
【図６】
2009170628.tif 000008
【図７】
2009170628.tif 000009
【図８】
2009170628.tif 000010
【図９】
2009170628.tif 000011